(57)【要約】【課題】安価なＬＡＮ用の部品を使用して、４０ＧｂＥ信号の長距離転送が可能となる、光伝送装置を提供する。【解決手段】光伝送装置１００では、クライアント信号送受信部１１１によりクライアント信号を受信して並列信号に分離し、フレーム収容・処理部１２１内のＭＬＤスキュー調整部１２２により、並列形式のクライアント信号の位相のずれを調整してバルク信号に復元し、モニタ部１２３にてバルク信号の品質をモニタし、その後、逆マルチプレクサ部１２４により、バルク信号を並列形式のクライアント信号に分離する。そして、ネットワーク信号送受信部１３１において、並列形式のクライアント信号のそれぞれをＯＴＵ２ｅフレームへマッピングし、並列形式のＯＴＵ２ｅフレーム信号を生成する。そして、ＯＴＵ２ｅフレームの信号のそれぞれを異なる波長の光信号に変換し波長多重して光伝送路１１へ送出する。【選択図】図１
2010114765.tif 000002
【特許請求の範囲】
【請求項１】
クライアント信号を収容し、該クライアント信号をネットワーク側の信号に変換して光伝路に送出する光伝送装置であって、
並列形式のクライアント信号を受信するクライアント信号受信部と、
前記並列形式のクライアント信号の並列信号間の位相のずれを調整すると共に、該並列形式のクライアント信号をバルクのクライアント信号に復元する並列信号スキュー調整部と、
前記バルクのクライアント信号の品質をモニタする第１のモニタ部と、
前記バルクのクライアント信号を並列形式のクライアント信号に分離すると共に、該分離された並列形式のクライアント信号のそれぞれを、ネットワーク伝送フレームへマッピングして並列形式のネットワーク伝送信号を生成する逆マルチプレクサ部と、
前記逆マルチプレクサ部により生成された並列形式のネットワーク伝送信号のそれぞれを、異なる波長の光信号に変換すると共に、前記異なる波長の光信号を波長多重して光伝送路へネットワーク信号として送出するネットワーク信号送信部と、
を備えることを特徴とする光伝送装置。
【請求項２】
クライアント信号を収容し、該クライアント信号をネットワーク側の信号に変換して光伝送路に送出する送信系統部と、前記光伝送路を通してネットワーク側から光信号を受信し、前記光信号からクライアント信号を抽出する受信系統部とを有する光伝送装置であって、
前記送信系統部は、
並列形式のクライアント信号を受信するクライアント信号受信部と、
前記並列形式のクライアント信号の並列信号間の位相のずれを調整すると共に、該並列形式のクライアント信号をバルクのクライアント信号に復元する並列信号スキュー調整部と、
前記バルクのクライアント信号の品質をモニタする第１のモニタ部と、
前記バルクのクライアント信号を並列形式のクライアント信号に分離すると共に、該分離された並列形式のクライアント信号のそれぞれを、ネットワーク伝送フレームへマッピングして並列形式のネットワーク伝送信号を生成する逆マルチプレクサ部と、
前記逆マルチプレクサ部により生成された並列形式のネットワーク伝送信号のそれぞれを、異なる波長の光信号に変換すると共に、前記異なる波長の光信号を波長多重して光伝送路へネットワーク信号として送出するネットワーク信号送信部と、
を備え、
前記受信系統部は、
前記光伝送路から波長多重されたネットワーク信号を受信すると共に、該波長多重されたネットワーク信号を波長ごとに分離し、該波長ごとに分離された信号をそれぞれ光電気変換して並列形式のネットワーク信号を生成するネットワーク信号受信部と、
前記並列形式のネットワーク信号のネットワーク伝送フレームにマッピングされたクライアント信号を抽出し、並列形式のクライアント信号を抽出するフレーム終端部と、
前記並列形式のクライアント信号からバルクのクライアント信号を復元する信号連結部と、
前記信号連結部により復元されたバルクのクライアント信号の品質をモニタする第２のモニタ部と、
前記第２のモニタ部により品質がモニタされたバルクのクライアント信号を並列形式のクライアント信号に変換する信号分配部と、
前記信号分配部から出力される並列形式のクライアント信号をクライアント側に送信するクライアント信号送信部と、
を備えることを特徴とする光伝送装置。
【請求項３】
前記バルクのクライアント信号の分離及び多重化において、元のバルク信号の復元に使用する情報の伝送に、ＩＴＵ−Ｔ(International Telecommunication Union Telecommunication Standardization Sector)のＧ.７０９に規定されるネットワーク伝送フレームのオーバヘッドを用いること
を特徴とする請求項１または請求項２に記載の光伝送装置。
【請求項４】
クライアント信号を収容し、該クライアント信号をネットワーク側の信号に変換して光伝送路に送出する光伝送装置であって、
並列形式のクライアント信号を受信するクライアント信号受信部と、
前記並列形式のクライアント信号をバルクのクライアント信号に戻すことなく、前記並列信号のクライアント信号のそれぞれの品質をモニタする第１のモニタ部と、
前記並列信号のクライアント信号のそれぞれを、ネットワーク伝送フレームにマッピングして並列形式のネットワーク伝送信号を生成するフレーム収容部と、
前記フレーム収容部により生成された並列形式のネットワーク伝送信号のそれぞれを、異なる波長の光信号に変換すると共に、前記異なる波長の光信号を波長多重して前記光伝送路へネットワーク信号として送出するネットワーク信号送信部と、
を備えることを特徴とする光伝送装置。
【請求項５】
クライアント信号を収容し、該クライアント信号を光信号へ変換してネットワーク側の光伝送路に送出する送信系統部と、前記光伝送路を通してネットワーク側から光信号を受信し、前記光信号からクライアント信号を抽出する受信系統部とを有する光伝送装置であって、
前記送信系統部は、
並列形式のクライアント信号を受信するクライアント信号受信部と、
前記並列形式のクライアント信号をバルクのクライアント信号に戻すことなく、前記並列信号のクライアント信号のそれぞれの品質をモニタする第１のモニタ部と、
前記並列信号のクライアント信号のそれぞれを、ネットワーク伝送フレームにマッピングして並列形式のネットワーク伝送信号を生成するフレーム収容部と、
前記フレーム収容部により生成された並列形式のネットワーク伝送信号のそれぞれを、異なる波長の光信号に変換すると共に、前記異なる波長の光信号を波長多重して前記光伝送路へネットワーク信号として送出するネットワーク信号送信部と、
を備え、
前記受信系統部は、
前記光伝送路から波長多重されたネットワーク信号を受信すると共に、該波長多重されたネットワーク信号を波長ごとに分離し、該波長ごとに分離された信号をそれぞれ光電気変換して並列形式のネットワーク信号を生成するネットワーク信号受信部と、
前記並列形式のネットワーク信号のネットワーク伝送フレームにマッピングされたクライアント信号を、並列形式のクライアント信号として抽出するフレーム終端部と、
前記並列形式のクライアント信号の品質をモニタする第２のモニタ部と、
前記第２のモニタ部により品質がモニタされた並列形式のクライアント信号をクライアント側に送信するクライアント信号送信部と、
を備えることを特徴とする光伝送装置。
【請求項６】
クライアント信号を収容し、該クライアント信号をネットワーク側の信号に変換して光伝送路に送出する光伝送装置であって、
並列形式のクライアント信号を受信するクライアント信号受信部と、
前記並列形式のクライアント信号間の位相のずれの調整を行う第１のスキュー調整部と、
前記第１のスキュー調整部により位相ずれが調整された並列形式のクライアント信号のそれぞれを、ネットワーク伝送フレームへマッピングして並列形式のネットワーク伝送信号を生成するマッピング部と、
前記マッピング部により生成された並列形式のネットワーク伝送信号のそれぞれを、異なる波長の光信号に変換すると共に、前記異なる波長の光信号を波長多重して前記光伝送路へネットワーク信号として送出するネットワーク信号送信部と、
を備えることを特徴とする光伝送装置。
【請求項７】
クライアント信号を収容し、該クライアント信号をネットワーク側の光信号へ変換して光伝送路に送出する送信系統部と、前記光伝送路を通してネットワーク側から光信号を受信し、前記光信号からクライアント信号を抽出する受信系統部とを有する光伝送装置であって、
前記送信系統部は、
並列形式のクライアント信号を受信するクライアント信号受信部と、
前記並列形式のクライアント信号間の位相のずれの調整を行う第１のスキュー調整部と、
前記第１のスキュー調整部により位相ずれが調整された並列形式のクライアント信号のそれぞれをネットワーク伝送フレームへマッピングして並列形式のネットワーク伝送信号を生成するマッピング部と、
前記マッピング部により生成された並列形式のネットワーク伝送信号のそれぞれを、異なる波長の光信号に変換すると共に、前記異なる波長の光信号を波長多重して前記光伝送路へネットワーク信号として送出するネットワーク信号送信部と、
を備え、
前記受信系統部は、
前記光伝送路から波長多重されたネットワーク信号を受信すると共に、該波長多重されたネットワーク信号を波長ごとに分離し、該波長ごとに分離された信号をそれぞれ光電気変換して並列形式のネットワーク信号を生成するネットワーク信号受信部と、
前記並列形式のネットワーク信号のネットワーク伝送フレームにマッピングされたクライアント信号を、並列形式のクライアント信号として抽出するフレーム終端部と、
前記並列形式のクライアント信号間の位相ずれの調整を行う第２のスキュー調整部と、
前記第２のスキュー調整部により位相調整された並列形式のクライアント信号をクライアント側に送信するクライアント信号送信部と、
を備えることを特徴とする光伝送装置。
【請求項８】
前記ネットワーク伝送フレームがＩＴＵ−Ｔ  Ｇ．７０９に規定されるＯＴＵフレームであり、そのビットレートがＩＴＵ−Ｔ  Ｇ．ｓｕｐ４３に規定されるＯＴＵ２ｅ（１１．０９６Ｇｂ／ｓ）またはＯＴＵ１ｅ（１１．０４９Ｇｂ／ｓ）のネットワーク伝送フレームであること
を特徴とする請求項１，２，４〜７に記載の光伝送装置。
【発明の詳細な説明】
【技術分野】
【０００１】
本発明は、光ケーブル等の光伝送路により信号を伝送する光伝送装置に関する。
【背景技術】
【０００２】
光伝送システムにおいては既存のサービス信号を多重化するためのディジタルハイアラーキとして、ＳＤＨ（Synchronous Digital Hierarchy）が国際的に標準化されている。米国では、ＳＤＨと同様のＳＯＮＥＴ（Synchronous 0ptica1 Network）がデファクトスタンダードとなっている。現在の光伝送システムは、ＳＯＮＥＴ／ＳＤＨ仕様に準拠した光伝送システムが主流となっており、これまで世界中に大量導入されている。
【０００３】
近年、インターネットトラヒックの爆発的増大に対応可能である波長多重伝送(ＷＤＭ：Wavelength Division Multiplex)方式を前提とし、ＳＤＨ/ＳＯＮＥＴのみならずＡＴＭ，イーサネット（Ｅｔｈｅｒｎｅｔ）（登録商標）など多様なクライアントをトランスペアレントに伝送するプラットフォームとして、ＯＴＮ（Optical Transport Network）が標準化されており、今後の光伝送システムの主流となる見込みである（非特許文献１を参照）。
【０００４】
また、近年、爆発的なインターネットの普及により、イーサネット（登録商標）インタフェースが急増しており、ＩＥＥＥ８０２．３ｂａにおいては４０ＧｂＥ、１００ＧｂＥのＬＡＮインタフェースについての標準化が始まっており、２０１０年に標準化が成立する見込みである。このような背景から、現状電気ルータのインタフェースとしては４０Ｇｂ／ｓのＰＯＳ（PPP over SONET）が実用に供されている。
【０００５】
図１３は、従来の４０Ｇｂ／ｓ光伝送システムの構成を示す図である。図１３に示す光伝送システムは、光伝送装置５００Ａと光伝送装置５００Ｂとが、光ケーブル等の光伝送路１１により接続されて構成される。なお、光伝送装置５００Ａと光伝送装置５００Ｂとは同じ構成のものである。
【０００６】
光伝送装置５００Ａは、ルータからの４０Ｇｂ／ｓ ＰＯＳ信号を、クライアント信号送受信部１１１Ａにより受信する。クライアント信号送受信部１１１Ａでは、ルータからの４０Ｇｂ／ｓ ＰＯＳ信号を、Ｏ／Ｅ変換部１１３により光電気変換し、ＤＥＳ部５１１により４０Ｇｂ／ｓのシリアル信号を２．５Ｇｂ／ｓ級の１６パラレル信号に変換する。この１６パラレル信号はフレーム収容・処理部１２１Ａに入力される。フレーム収容・処理部１２１Ａでは、ＳＤＨ/ＳＯＮＥＴモニタ部５２１により、入力信号の品質や警報状態のモニタを行う。その後、入力信号は、ＯＴＵ３マッピング（ＯＴＵ３ ｍａｐｐｉｎｇ）部５２２により、４０Ｇｂ／ｓ級のＯＴＮ(Optical Transport Network)用フレームＯＴＵ３にマッピングされ、この信号がネットワーク信号送受信部１３１Ａに出力される。ネットワーク信号送受信部１３１Ａでは、ＳＥＲ部５３１により２．７Ｇｂ／ｓ×１６パラレル信号がシリアル化されて出力される。また、Ｅ／Ｏ変換部１３２により、電気信号を光信号に変換し、この４３Ｇｂ／ｓＯＴＵ３の光信号を光ケーブル等の光伝送路１１へ出力する。
【０００７】
光伝送路１１を伝送された４３Ｇｂ／ｓＯＴＵ３信号は、光伝送装置５００Ｂ内のネットワーク信号送受信部１３１Ａにより受信される。ネットワーク信号送受信部１３１Ａに入力された信号は、Ｏ／Ｅ変換部１３５により、光電気変換後、ＤＥＳ部５３２によりシリアルパラレル変換が行われる。このシリアルパラレル変換された２．７Ｇｂ／ｓ×１６パラレル信号はフレーム収容・処理部１２１Ａへ入力される。
【０００８】
フレーム収容・処理部１２１では、ＯＴＵ３デマッピング（ｄｅ―ｍａｐｐｉｎｇ）部５２３によりＯＴＵ３／ＯＤＵ３−ＯＨの終端が行われ、ＳＯＨ／ＳＯＮＥＴモニタ部５２４により、光伝送による誤りを誤り訂正符号にて訂正した後の品質がモニタされ、またオーバヘッド（ＯＨ）の抜去により、クライアントである４０Ｇｂ／ｓ ＰＯＳ信号が抽出される。また、クライアント信号についてもＳＯＮＥＴ/ＳＤＨのＯＨを用いた品質のモニタが行われる。その後、２．５Ｇｂ／ｓ×１６パラレル信号は、クライアント信号送受信部１１１Ａに入力される。クライアント信号送受信部１１１Ａでは、ＳＥＲ部５１２により２．５Ｇｂ／ｓ×１６パラレル信号のシリアル化が行われ、Ｅ／Ｏ変換部１１４により電気光変換され、４０Ｇｂ／ｓのシリアル信号としてクライアント側へ送出される。
【非特許文献１】“Interfaces for the Optical Transport Network（ＯＴＮ）”,ＩＴＵ−Ｔ(International Telecommunication Union Telecommunication Standardization Sector),Recommendation G.709
【発明の開示】
【発明が解決しようとする課題】
【０００９】
前述したように、従来の光伝送システムでは、４０Ｇｂ／ｓのクライアント信号を４３Ｇｂ／ｓのＯＴＵ３フレームへマッピングし、４３Ｇｂ／ｓシリアル信号として長距離伝送を行っていた。しかしながら、４０Ｇｂ／ｓのシリアル信号を取り扱う電気部品、光部品は高額であることから、経済的に４０Ｇｂ／ｓ信号を長距離転送する手段の提供が望まれていた。
【００１０】
本発明は、上記課題に鑑みなされたものであり、本発明の目的は、高額な４０Ｇｂ／ｓのシリアル信号を取り扱う電気部品、光部品を使用することなく、安価なＬＡＮ用の部品を使用して、４０ＧｂＥ信号等の長距離転送が可能となる、光伝送装置を提供することにある。
【課題を解決するための手段】
【００１１】
本発明は、上記課題を解決するためになされたものであり、光伝送装置は，クライアント信号を収容し、該クライアント信号をネットワーク側の信号に変換して光伝路に送出する光伝送装置であって、並列形式のクライアント信号を受信するクライアント信号受信部と、前記並列形式のクライアント信号の並列信号間の位相のずれを調整すると共に、該並列形式のクライアント信号をバルクのクライアント信号に復元する並列信号スキュー調整部と、前記バルクのクライアント信号の品質をモニタする第１のモニタ部と、前記バルクのクライアント信号を並列形式のクライアント信号に分離すると共に、該分離された並列形式のクライアント信号のそれぞれを、ネットワーク伝送フレームへマッピングして並列形式のネットワーク伝送信号を生成する逆マルチプレクサ部と、前記逆マルチプレクサ部により生成された並列形式のネットワーク伝送信号のそれぞれを、異なる波長の光信号に変換すると共に、前記異なる波長の光信号を波長多重して光伝送路へネットワーク信号として送出するネットワーク信号送信部と、を備えることを特徴とする。
【００１２】
また本発明は、光伝送装置が、クライアント信号を収容し、該クライアント信号をネットワーク側の信号に変換して光伝送路に送出する送信系統部と、前記光伝送路を通してネットワーク側から光信号を受信し、前記光信号からクライアント信号を抽出する受信系統部とを有する光伝送装置であって、前記送信系統部は、並列形式のクライアント信号を受信するクライアント信号受信部と、前記並列形式のクライアント信号の並列信号間の位相のずれを調整すると共に、該並列形式のクライアント信号をバルクのクライアント信号に復元する並列信号スキュー調整部と、前記バルクのクライアント信号の品質をモニタする第１のモニタ部と、前記バルクのクライアント信号を並列形式のクライアント信号に分離すると共に、該分離された並列形式のクライアント信号のそれぞれを、ネットワーク伝送フレームへマッピングして並列形式のネットワーク伝送信号を生成する逆マルチプレクサ部と、前記逆マルチプレクサ部により生成された並列形式のネットワーク伝送信号のそれぞれを、異なる波長の光信号に変換すると共に、前記異なる波長の光信号を波長多重して光伝送路へネットワーク信号として送出するネットワーク信号送信部と、を備え、前記受信系統部は、前記光伝送路から波長多重されたネットワーク信号を受信すると共に、該波長多重されたネットワーク信号を波長ごとに分離し、該波長ごとに分離された信号をそれぞれ光電気変換して並列形式のネットワーク信号を生成するネットワーク信号受信部と、前記並列形式のネットワーク信号のネットワーク伝送フレームにマッピングされたクライアント信号を抽出し、並列形式のクライアント信号を抽出するフレーム終端部と、前記並列形式のクライアント信号からバルクのクライアント信号を復元する信号連結部と、前記信号連結部により復元されたバルクのクライアント信号の品質をモニタする第２のモニタ部と、前記第２のモニタ部により品質がモニタされたバルクのクライアント信号を並列形式のクライアント信号に変換する信号分配部と、前記信号分配部から出力される並列形式のクライアント信号をクライアント側に送信するクライアント信号送信部と、を備えることを特徴とする。
【００１３】
また本発明は、上述の光伝送装置において、前記バルクのクライアント信号の分離及び多重化において、元のバルク信号の復元に使用する情報の伝送に、ＩＴＵ−Ｔ（International Telecommunication Union Telecommunication Standardization Sector)）のＧ.７０９に規定されるネットワーク伝送フレームのオーバヘッドを用いることを特徴とする。
【００１４】
また本発明の光伝送装置は、クライアント信号を収容し、該クライアント信号をネットワーク側の信号に変換して光伝送路に送出する光伝送装置であって、並列形式のクライアント信号を受信するクライアント信号受信部と、前記並列形式のクライアント信号をバルクのクライアント信号に戻すことなく、前記並列信号のクライアント信号のそれぞれの品質をモニタする第１のモニタ部と、前記並列信号のクライアント信号のそれぞれを、ネットワーク伝送フレームにマッピングして並列形式のネットワーク伝送信号を生成するフレーム収容部と、前記フレーム収容部により生成された並列形式のネットワーク伝送信号のそれぞれを、異なる波長の光信号に変換すると共に、前記異なる波長の光信号を波長多重して前記光伝送路へネットワーク信号として送出するネットワーク信号送信部と、を備えることを特徴とする。
【００１５】
また本発明の光伝送装置は、クライアント信号を収容し、該クライアント信号を光信号へ変換してネットワーク側の光伝送路に送出する送信系統部と、前記光伝送路を通してネットワーク側から光信号を受信し、前記光信号からクライアント信号を抽出する受信系統部とを有する光伝送装置であって、前記送信系統部は、並列形式のクライアント信号を受信するクライアント信号受信部と、前記並列形式のクライアント信号をバルクのクライアント信号に戻すことなく、前記並列信号のクライアント信号のそれぞれの品質をモニタする第１のモニタ部と、前記並列信号のクライアント信号のそれぞれを、ネットワーク伝送フレームにマッピングして並列形式のネットワーク伝送信号を生成するフレーム収容部と、前記フレーム収容部により生成された並列形式のネットワーク伝送信号のそれぞれを、異なる波長の光信号に変換すると共に、前記異なる波長の光信号を波長多重して前記光伝送路へネットワーク信号として送出するネットワーク信号送信部と、を備え、前記受信系統部は、前記光伝送路から波長多重されたネットワーク信号を受信すると共に、該波長多重されたネットワーク信号を波長ごとに分離し、該波長ごとに分離された信号をそれぞれ光電気変換して並列形式のネットワーク信号を生成するネットワーク信号受信部と、前記並列形式のネットワーク信号のネットワーク伝送フレームにマッピングされたクライアント信号を、並列形式のクライアント信号として抽出するフレーム終端部と、前記並列形式のクライアント信号の品質をモニタする第２のモニタ部と、前記第２のモニタ部により品質がモニタされた並列形式のクライアント信号をクライアント側に送信するクライアント信号送信部と、を備えることを特徴とする。
【００１６】
また本発明の光伝送装置は、クライアント信号を収容し、該クライアント信号をネットワーク側の信号に変換して光伝送路に送出する光伝送装置であって、並列形式のクライアント信号を受信するクライアント信号受信部と、前記並列形式のクライアント信号間の位相のずれの調整を行う第１のスキュー調整部と、前記第１のスキュー調整部により位相ずれが調整された並列形式のクライアント信号のそれぞれを、ネットワーク伝送フレームへマッピングして並列形式のネットワーク伝送信号を生成するマッピング部と、前記マッピング部により生成された並列形式のネットワーク伝送信号のそれぞれを、異なる波長の光信号に変換すると共に、前記異なる波長の光信号を波長多重して前記光伝送路へネットワーク信号として送出するネットワーク信号送信部と、を備えることを特徴とする。
【００１７】
また本発明の光伝送装置は、クライアント信号を収容し、該クライアント信号をネットワーク側の光信号へ変換して光伝送路に送出する送信系統部と、前記光伝送路を通してネットワーク側から光信号を受信し、前記光信号からクライアント信号を抽出する受信系統部とを有する光伝送装置であって、前記送信系統部は、並列形式のクライアント信号を受信するクライアント信号受信部と、前記並列形式のクライアント信号間の位相のずれの調整を行う第１のスキュー調整部と、前記第１のスキュー調整部により位相ずれが調整された並列形式のクライアント信号のそれぞれを、ネットワーク伝送フレームへマッピングして並列形式のネットワーク伝送信号を生成するマッピング部と、前記マッピング部により生成された並列形式のネットワーク伝送信号のそれぞれを、異なる波長の光信号に変換すると共に、前記異なる波長の光信号を波長多重して前記光伝送路へネットワーク信号として送出するネットワーク信号送信部と、を備え、前記受信系統部は、前記光伝送路から波長多重されたネットワーク信号を受信すると共に、該波長多重されたネットワーク信号を波長ごとに分離し、該波長ごとに分離された信号をそれぞれ光電気変換して並列形式のネットワーク信号を生成するネットワーク信号受信部と、前記並列形式のネットワーク信号のネットワーク伝送フレームにマッピングされたクライアント信号を、並列形式のクライアント信号として抽出するフレーム終端部と、前記並列形式のクライアント信号間の位相ずれの調整を行う第２のスキュー調整部と、前記第２のスキュー調整部により位相調整された並列形式のクライアント信号をクライアント側に送信するクライアント信号送信部と、を備えることを特徴とする。
【００１８】
また本発明は、上述の光伝送装置において、前記ネットワーク伝送フレームがＩＴＵ−Ｔ  Ｇ．７０９に規定されるＯＴＵフレームであり、そのビットレートがＩＴＵ−Ｔ  Ｇ．ｓｕｐ４３に規定されるＯＴＵ２ｅ（１１．０９６Ｇｂ／ｓ）またはＯＴＵ１ｅ（１１．０４９Ｇｂ／ｓ）のネットワーク伝送フレームであることを特徴とする。
【発明の効果】
【００１９】
本発明の光伝送装置においては、並列形式のクライアント信号の位相のずれを調整し、一旦バルク信号に戻して品質をモニタし、その後、バルクのクライアント信号を複数の並列形式の信号に分離し、この並列形式の信号のそれぞれをネットワーク伝送フレームへマッピングし、このマッピングされた並列形式のフレーム信号のそれぞれを異なる波長の光信号に変換して波長多重し、ネットワーク信号として光伝送路へ送出する。
これにより、高速のシリアル信号に代えて、低速なパラレル信号（並列形式の信号）にて、４０ＧｂＥ信号等の長距離転送が可能となる。このため、低速伝送用の部品が使用できることになり、経済性に優れた光伝送装置を提供できる。また、この光伝送装置を使用して、４０ＧｂＥ信号等の長距離転送を行う光伝送システムを経済的に構成できる。
【００２０】
また、本発明の光伝送装置においては、送信系統部では、並列形式のクライアント信号の位相のずれを調整し、一旦バルク信号に戻して品質をモニタし、その後、バルクのクライアント信号を複数の並列形式の信号に分離し、この並列形式の信号のそれぞれを、ネットワーク伝送フレームへマッピングし、このマッピングされた並列形式のフレーム信号のそれぞれを異なる波長の光信号に変換して波長多重し、ネットワーク信号として光伝送路へ送出する。受信系統部では、ネットワーク側から受信したネットワーク信号を光電気変換し、ネットワーク伝送用フレームへマッピングされたクライアント信号を抽出し、抽出された並列形式のクライアント信号から元のバルクのクライアント信号を復元して品質をモニタし、その後、さらに並列形式のクライアント信号に戻してクライアント側に出力する。
これにより、高速のシリアル信号に代えて、低速なパラレル信号にて、４０ＧｂＥ信号等の長距離転送が可能となる。このため、低速伝送用の部品が使用できることになり、経済性に優れた光伝送装置を提供できる。また、この光伝送装置を使用して、４０ＧｂＥ信号等の長距離転送を行う光伝送システムを経済的に構成できる。
【００２１】
また、本発明の光伝送装置においては、バルクのクライアント信号の分離及び多重化の際に基のバルク信号の復元に必要となる情報の伝送に、ＩＴＵ−ＴのＧ.７０９に規定されるフレームのオーバヘッドを用いる。
これにより、Ｇ.７０９に規定されるフレームのオーバヘッドを利用して、バルクのクライアント信号の分離及び多重化を容易に行えるようになる。
【００２２】
また、本発明の光伝送装置においては、並列形式のクライアント信号を受信し、並列形式のクライアント信号をバルク信号に戻すことなく、並列形式の信号のままクライアント信号の品質をモニタし、その後、並列形式の信号のままネットワーク伝送フレームへマッピングし、このマッピングされた並列形式のフレーム信号のそれぞれを、異なる波長の光信号に変換し波長多重して光伝送路へ送出する。
これにより、高速のシリアル信号に代えて、低速なパラレル信号にて、４０ＧｂＥ信号等の長距離転送が可能となると共に、さらに、クライアント側の信号をバルク信号に戻すことなく、パラレル信号のまま転送を行うことができるため、さらに経済性を高めた光伝送装置を提供することができる。また、この光伝送装置を使用して、４０ＧｂＥ信号等の長距離転送を行う光伝送システムを経済的に構成できる。
【００２３】
また、本発明の光伝送装置は、送信系統部では、並列形式のクライアント信号を受信し、並列形式のクライアント信号バルク信号に戻すことなく、並列形式の信号のままクライアント信号の品質をモニタし、その後、並列形式の信号のままネットワーク伝送フレームへマッピングし、このマッピングされた並列形式のフレーム信号のそれぞれを、異なる波長の光信号に変換し波長多重して光伝送路へ送出する。受信系統部では、光伝送路から受信したネットワーク信号を光電気変換し、ネットワーク信号のネットワーク伝送フレームにマッピングされた並列形式のクライアント信号を抽出し、並列形式の信号のままクライアント信号の品質をモニタし、そのまま並列形式のクライアント信号としてクライアント側へ送出する。
これにより、高速のシリアル信号に代えて、低速なパラレル信号にて、４０ＧｂＥ信号等の長距離転送が可能となると共に、さらに、クライアント側の信号をバルク信号に戻すことなく、パラレル信号のまま転送を行うことができるため、さらに経済性を高めた光伝送装置を提供することができる。また、この光伝送装置を使用して、４０ＧｂＥ信号等の長距離転送を行う光伝送システムを経済的に構成できる。
【００２４】
また、本発明の光伝送装置においては、並列形式のクライアント信号を受信して並列信号間の位相調整を行い、この並列形式のクライアント信号のそれぞれをネットワーク伝送フレームへマッピングし、このマッピングされた並列形式のフレーム信号のそれぞれを、異なる波長の光信号に変換し波長多重して光伝送路へ送出する。
これにより、高速のシリアル信号に代えて、低速なパラレル信号にて、４０ＧｂＥ信号等の長距離転送が可能となると共に、さらに、クライアント側の信号をバルク信号に戻すことなく、パラレル信号のまま転送を行うことができるため、さらに経済性を高めた光伝送装置を提供することができる。また、この光伝送装置を使用して、４０ＧｂＥ信号等の長距離転送を行う光伝送システムを経済的に構成できる。
【００２５】
また、本発明の光伝送装置においては、送信系統部は、並列形式のクライアント信号を受信して並列信号間の位相調整を行い、この並列形式のクライアント信号のそれぞれをネットワーク伝送用フレームにマッピングし、このマッピングされた並列形式のフレーム信号のそれぞれを異なる波長の光信号に変換し波長多重し、ネットワーク信号として光伝送路へ送出する。受信系統部は、光伝送路から受信したネットワーク信号を光電気変換し、ネットワーク伝送フレームにマッピングされた並列形式のクライアント信号を抽出し、この並列信号間の位相ずれの調整を行い、そのまま並列形式のクライアント信号としてクライアント側へ送出する。
これにより、高速のシリアル信号に代えて、低速なパラレル信号にて、４０ＧｂＥ信号等の長距離転送が可能となると共に、さらに、クライアント側の信号をバルク信号に戻すことなく、パラレル信号のまま転送を行うことができるため、さらに経済性を高めた光伝送装置を提供することができる。また、この光伝送装置を使用して、４０ＧｂＥ信号等の長距離転送を行う光伝送システムを経済的に構成できる。
【００２６】
また、本発明の光伝送装置では、上述の光伝送装置において、ネットワーク伝送フレームがＩＴＵ−Ｔ  Ｇ．７０９に規定されるＯＴＵフレームであり、そのビットレートがＩＴＵ−Ｔ  Ｇ．ｓｕｐ４３に規定されるＯＴＵ２ｅ（１１．０９６Ｇｂ／ｓ）またはＯＴＵ１ｅ（１１．０４９Ｇｂ／ｓ）のネットワーク伝送フレームである。
これにより、４０ＧｂＥ信号等のクライアント信号を並列化（パラレル化）し、この並列形式の信号のそれぞれを、ＯＴＵ２ｅ（１１．０９６Ｇｂ／ｓ）、または、ＯＴＵ１ｅ（１１．０４９Ｇｂ／ｓ）のネットワーク伝送フレームにマッピングして、並列形式の信号により送信することができる。このため、高速のシリアル信号に代えて、低速なパラレル信号にて、４０ＧｂＥ信号等の長距離転送が可能となる。
【発明を実施するための最良の形態】
【００２７】
以下、本発明の実施の形態を添付図面を参照して説明する。
【００２８】
［第１の実施の形態］
図１は、本発明の第１の実施の形態に係る光伝送装置１００の構成を示すブロック図である。また、図２は、図１に示す光伝送装置１００を２つ用い、光伝送装置１００Ａと、光伝送装置１００Ｂとで光伝送システム１を構成した例を示している。なお、光伝送装置１００Ａ，１００Ｂを総称する場合は、光伝送装置１００と呼ぶ。
【００２９】
ＩＥＥＥ８０２．３ｂａにて標準化が検討されている４０ＧｂＥのインタフェースについては、１０．３１２５Ｇｂ／ｓ×４レーンの波長多重信号が候補の１つになっている。このため、図１に示す光伝送装置１００、および図２に示す光伝送システム１では、１０．３１２５Ｇｂ／ｓ×４並列ＬＡＮ信号の長距離伝送システムの例について説明する。
【００３０】
図１に示すように、光伝送装置１００は、クライアント側からクライアント信号を受信し、このクライアント信号をネットワーク側の信号に変換して光伝送路１１に出力する送信系統部（図で上段側に示される破線で囲んだ回路系統の部分）１０１と、光伝送路１１からネットワーク側の信号を受信し、このネットワーク側の信号からクライアント信号を抽出してクライアント側に出力する受信系統部（図で下段側に示される破線で囲んだ回路系統の部分）１０２と、を有して構成される。
【００３１】
すなわち、送信系統部１０１は、光伝送装置１００において、上段側に示される破線で囲んだ回路系統の部分であり、クライアント信号送受信部１１１内の波長多重分離部１１２、Ｏ／Ｅ変換部（光／電気変換部）１１３、フレーム収容・処理部１２１内のＭＬＤ（Multi Lane Distribution）スキュー調整部（ＭＬＤ終端）１２２、４０ＧｂＥ・ ＰＣＳ／ＭＡＣモニタ部１２３、逆マルチプレクサ部（Ｉｎｖｅｒｓｅ・ＭＵＸ部）１２４、ネットワーク信号送受信部１３１内のＥ／Ｏ変換部（電気／光変換部）１３２、および波長多重部（ＷＤＭ−ＭＵＸ）１３３により構成されている。
【００３２】
また、受信系統部１０２は、光伝送装置１００内において、下段側に示される破線で囲んだ回路系統の部分であり、クライアント信号送受信部１１１内の波長多重部１１５、Ｏ／Ｅ変換部１１４、フレーム収容・処理部１２１内のＭＬＤ処理部（ＶＬ挿入）１２８、４０ＧｂＥ・ ＰＣＳ／ＭＡＣモニタ部１２７、バーチャルコンカチネーション部（ＶＣＡＴ・ＭＵＸ）１２６、ＯＴＵ２ｅ終端部１２５、ネットワーク信号送受信部１３１内のＯ／Ｅ変換部１３５、および波長多重分離部（ＷＤＭ−ＤＥＭＵＸ）１３４により構成されている。
【００３３】
上記構成において、送信系統部１０１側では、クライアント信号送受信部１１１により、クライアント側から送信された４つの波長で多重化された４０ＧｂＥ・ＬＡＮ信号（１０．３１２５Ｇｂ／ｓの４並列の光信号）を受信する。この４０ＧｂＥ・ＬＡＮ信号は、波長多重分離部（ＷＤＭ−ＤＥＭＵＸ）１１２において、波長多重部分離が行われる。その後、Ｏ／Ｅ変換部１１３により光／電気変換が行われ、１０．３１２５Ｇｂ／ｓ×４の４並列の電気信号として出力される。この１０．３１２５Ｇｂ／ｓ×４の４並列の電気信号はフレーム収容・処理部１２１に入力される。
【００３４】
フレーム収容・処理部１２１においては、ＭＬＤのスキュー調整を行うＭＬＤスキュー調整部１２２により、１０．３１２５Ｇｂ／ｓ×４の４並列信号間の位相関係（位相ずれ）を調整し、バルクの４０ＧｂＥ信号として復元する。このバルクの４０ＧｂＥ信号は、４０ＧｂＥ・ ＰＣＳ／ＭＡＣモニタ部１２３に入力される。
【００３５】
４０ＧｂＥ・ ＰＣＳ／ＭＡＣモニタ部１２３では、バルクの４０ＧｂＥ信号を入力し、ＰＣＳ(Physical Coding Sublayor)レイヤにおける６４Ｂ／６６Ｂ符号モニタを用いた品質モニタを行う。また、４０ＧｂＥ・ ＰＣＳ／ＭＡＣモニタ部１２３では、ＭＡＣ(Media Access Control)レイヤにおけるＦＣＳ（フレーム・チェック・シーケンス）チェッカを用いたＭＡＣフレームモニタや、フレーム長カウント、フレーム数カウント等の品質モニタを行う。
【００３６】
４０ＧｂＥ・ ＰＣＳ／ＭＡＣモニタ部１２３により品質モニタされたバルクのクライアント信号は、逆マルチプレクサ１２４に入力される。この逆マルチプレクサ部１２４おいて、バルクの４０ＧｂＥ信号（４２．２５Ｇｂ／ｓ±１００ｐｐｍ）は、バーチャルコンカチネーション（ＶＣＡＴ：Virtual Concatenation）による復元ができるようにして、１０．３１２５Ｇｂ／ｓ±１００ｐｐｍの信号に分割される。
【００３７】
また、逆マルチプレクサ部１２４において、４並列のクライアント信号は、Ｇ．７０９にて定義されるＯＴＵ２フレームをオーバクロックさせた４つのＯＴＵ２ｅ（ＩＴＵ−Ｔ  Ｇ．ｓｕｐ４３に規定される）のネットワーク伝送フレームのペイロードにそれぞれマッピングされる。同期マッピング方式のＶＣＡＴの場合には、ＯＴＵ２ｅのビットレートは１１．０９６Ｇｂ／ｓ±１００ｐｐｍとなる。なお、ネットワーク伝送フレームのオーバクヘッド部分には、バーチャルコンカチネーションによる復元の際に必要となる情報が付加される。
【００３８】
４つに並列化（パラレル化）されたＯＴＵ２ｅフレームの電気信号は、ネットワーク信号送受信部１３１に入力される。ネットワーク信号送受信部１３１では、電気信号を光信号に変換するＥ／Ｏ変換部１３２により、４つに並列化されたＯＴＵ２ｅフレームの電気信号のそれぞれを、１１．０９６Ｇｂ／ｓ±１００ｐｐｍのビットレートである４つの異なる波長を有する光信号へ変換する。その後、異なる波長の光信号を1本のファイバへ入力するために波長多重部（ＷＤＭ−ＭＵＸ）１３３において波長レベルでの多重化が行われ、波長多重された光信号は、ＶＣＡＴ（バーチャルコンカチネーション）・４０ＧｂＥの光信号（ＯＴＵ２ｅ×４の光信号）として、ネットワーク側の光伝送路１１へ出力される。
【００３９】
光伝送装置１００から光伝送路１１を通して送信される光信号（ＯＴＵ２ｅ×４）は、光伝送路１１を通して対向側の光伝送装置に送信される。例えば、図２に示すように、光伝送装置１００Ａから光伝送装置１００Ｂに向けて送信される。
【００４０】
対向側の光伝送装置１００においては、ネットワーク側から送信される光信号の受信を、図１に示す受信系統部１０２により行う。この受信系統部１０２において、光伝送装置１００内のネットワーク信号送受信部１３１は、光伝送路１１から光信号を受信し、この光信号を、波長多重分離部（ＷＤＭ−ＤＥＭＵＸ）１３４により、波長多重信号を波長毎に分離する（この例では、４つの並列形式の信号に分離する）。また、Ｏ／Ｅ変換部１３５により、波長毎の光信号をＯＴＵ２ｅフレームの電気信号に変換し、この電気信号に変換された４つの並列形式の信号を、フレーム収容・処理部１２１内のＯＴＵ２ｅ終端部１２５に出力する。
【００４１】
フレーム収容・処理部１２１内のＯＴＵ２ｅ終端部１２５は、入力される信号の並列数に対応する構成（この例では４並列の構成）の終端部である。このＯＴＵ２ｅ終端部１２５では、電気信号に変換された４並列のＯＴＵ２ｅフレームのそれぞれの信号からオーバヘッド（ＯＴＵ２ｅ−ＯＨ）を抽出し、このオーバヘッド（ＯＴＵ２ｅ−ＯＨ）により、それぞれの信号の品質のモニタ、障害の検出と障害箇所の特定などを行う。また、ＯＴＵ２ｅ終端部１２５では、ＯＴＵ２ｅのネットワーク伝送フレームのペイロードにマッピングされたクライアント信号を抽出し、４並列のクライアント信号を生成する。この４並列のクライアント信号は、バーチャルコンカチネーション部（ＶＣＡＴ・ＭＵＸ）１２６に出力される。
【００４２】
バーチャルコンカチネーション部（ＶＣＡＴ・ＭＵＸ）１２６では、ＯＴＵ２ｅのオーバヘッド（ＯＴＵ２ｅ−ＯＨ）を用いて、４並列のクライアント信号を基に、バルクのクライアント信号（４０ＧｂＥ信号）の復元を行う。
【００４３】
復元されたバルクのクライアント信号（４０ＧｂＥ信号）は４０ＧｂＥ・ ＰＣＳ／ＭＡＣモニタ部１２７において、再び品質モニタが行われる。その後、ＭＬＤ処理部（ＶＬ挿入）１２８を通過し、仮想レーン（ＶＬ：Virtual Lane）により、１０．３１２５Ｇｂ／ｓ×４の４並列のクライアント信号に変換され、クライアント信号送受信部１１１へ入力される。
【００４４】
クライアント信号送受信部１１１おいては、Ｅ／Ｏ変換部１１４により、１０．３１２５Ｇｂ／ｓ×４の４並列の電気信号が互いに波長の異なる光信号へ変換され、波長多重部（ＷＤＭ−ＭＵＸ）部１１５により、波長レベルでの多重化処理が行われ、クライアント側に、１０．３１２５Ｇｂ／ｓ×４の並列形式の信号が出力される。
【００４５】
なお、図１および図２に示す第１の実施の形態では、クライアント信号を、１１．０９６Ｇｂ／ｓのＯＴＵ２ｅのネットワーク伝送フレームへマッピングする例を示したが、１１．０４９Ｇｂ／ｓのＯＴＵ１ｅ（ＩＴＵ−Ｔ  Ｇ．ｓｕｐ４３に規定される）のネットワーク伝送フレームを用いることも可能である。
【００４６】
また、図１に示す光伝送装置１００では、送信系統部１０１と受信系統部１０２とを１つのユニットに含めて構成した例を示しているが、送信系統部１０１と受信系統部１０２とをそれぞれ独立のユニットで構成することもできる。
【００４７】
（４０ＧｂＥ_ＬＡＮシステムの構成例と、スキュー調整）
なお、ここで、図１および図２に示す第１の実施の形態を補足する例として、４０ＧｂＥ_ＬＡＮシステムの構成例と、スキュー調整の例について説明しておく。図３は、４０ＧｂＥ_ＬＡＮシステムの構成例を示す図である。図４は、４０ＧｂＥにて標準化が進められているＭＬＤ（マルチレーンディストリビューション）アーキテクチャによるレーン間スキュー調整の例を示している。
【００４８】
図３に示す４０ＧｂＥ_ＬＡＮシステム２は、光伝送装置２００Ａと２００Ｂとを光伝送路１１により接続して構成される。この、光伝送装置２００Ａと、光伝送装置２００Ｂとは、同じ構成のものであり、同一の構成部分には同一の符号を付している。なお、図３に示す４０ＧｂＥ_ＬＡＮシステム２は、図１に示す光伝送システム１と異なり、光信号を長距離伝送するために必要なＯＴＵ２ｅフレームへのマッピング処理は行われない。長距離伝送が必要な場合は、図１に示す光伝送装置１００を介在させて行う。
【００４９】
光伝送装置２００Ａにおいて、ＭＡＣ（media access control）処理部２１１から出力される４０Ｇ ＭＡＣ信号(４０．０Ｇｂ／ｓ)は、ＰＣＳ（ＴＸ）処理部２１２に入力される。ＰＣＳ（ＴＸ）処理部２１２は、４０Ｇ ＭＡＣ信号に対して６４Ｂ／６６Ｂ符号化を行い、４１．２５Ｇｂ／ｓの信号へ変換する。
【００５０】
ＭＬＤ（ＴＸ）処理部２１３では、ＰＣＳ（ＴＸ）処理部２０１から入力した信号を、４つの４×１０Ｇｂ／ｓレーンの６４Ｂ／６６Ｂブロックに分離する。また、ＭＬＤ（ＴＸ）処理部２０２では、４×１０Ｇｂ／ｓレーンの６４Ｂ／６６Ｂブロックにて４つのレーンの位相調整を実行するためのアライメント信号を挿入し、４０ＧｂＥ用送受信部２３１へ送出する。
【００５１】
４０ＧｂＥ用送受信部２３１では、ＭＬＤ処理部２１３から入力した信号を、Ｏ／Ｅ変換部２３２により、電気信号から光信号への変換を行って波長多重部（ＷＤＭ−ＭＵＸ）部２３３へ出力する。波長多重部（ＷＤＭ−ＭＵＸ）２３３は４つのレーンに対して異なる波長を割り当てることにより、波長を多重し光伝送路１１へ出力する。波長多重された光信号は光伝送路１１を通して対向側の光伝送装置２００Ｂにより受信される。
【００５２】
光伝送装置２００Ｂにおいては、光伝送装置２００Ａから光伝送路１１を通して送信される光信号を４０ＧｂＥ用送受信部２３１により受信する。光伝送装置２００Ｂ内の４０ＧｂＥ用送受信部２３１では、波長多重分離部（ＷＤＭ−ＤＥＭＵＸ）２３４により波長多重信号を波長分離し、各レーンの信号をＯ／Ｅ変換部２３５により光電気変換した後、ＭＬＤ（Ｒｘ）処理部２１４へ入力する。
【００５３】
ここで、図４に示すように、各レーン毎に位相ずれ（スキュー）が発生するため、４０ＧｂＥ信号に埋め込まれたアライメント信号(図中Ａと示す)により、位相ずれを調整し、ＰＣＳ（Ｒｘ）処理部２１５へ入力される。ＰＣＳ（Ｒｘ）処理部２１５では６４Ｂ／６６Ｂ符号化を終端し、ＭＡＣ処理部２１１によりＭＡＣフレームを抽出する。
【００５４】
このように、第１の実施の形態におけるレーン間の位相調整は、４０ＧｂＥ ＬＡＮにて標準化されるであろうＭＬＤによるスキュー調整を用いる。また、波長多重光送受信モジュールについても４０ＧｂＥ ＬＡＮシステムステム用の光送受信モジュール（ビットレートを１０．３１２５Ｇｂ／ｓ×４）を、１１．０９６Ｇｂ／ｓ×４もしくは１１．０４９Ｇｂ／ｓ×４にし、波長を長距離伝送用の１．５μｍ帯のものに変更することにより、利用可能となる。このような構成をとることにより、４０ＧｂＥ信号用と同等の光送受信モジュールを用いて安価なシステムが構築できる。
【００５５】
（バーチャルコンカチネーションについての説明）
次に、バーチャルコンカチネーション（ＶＣＡＴ）について説明する。なお、バーチャルコンカチネーションとは、複数の伝送路を仮想的に結合し、１つの伝送路とする方法である。
【００５６】
図５にはＩＴＵ−Ｔ  Ｇ．７０９にて規定される４０Ｇ信号（ＳＴＭ−２５６）のＯＰＵ２−４ｖへのマッピング例を示している。参考のため、１０Ｇ信号（ＳＴＭ−６４）ＯＰＵ２へのマッピング例も合わせて示す。
【００５７】
両者を見比べるとＯＰＵ−ＯＨ（図中の網掛けで示す部分）におけるリザーブバイト（ＲＥＳ）を３ｂｙｔｅがバーチャルコンカチネーション用のオーバヘッドＶＣＯＨに代わっている以外はＯＰＵ２を４つ並べた形となっていることがわかる。従って、データ領域は４倍であり、ＳＴＭ−２５６がＳＴＭ−６４の４倍の容量であることから、ＯＰＵ２−４ｖはＯＰＵ２の４倍のデータ容量を収容できる。ＮＪＯ、ＰＪＯ、ＪＣについては非同期マッピング時に収容されるクライアント速度と収容する側のネットワーク速度の差分を吸収するものであり、Ｇ．７０９ではクライアント速度の精度は±２０ｐｐｍ、ネットワーク側についても精度は±２０ｐｐｍとなる。
【００５８】
バーチャルコンカチネーションのオーバヘッド（ＯＨ）についての詳細を、図６に示す。ここで、ＭＦＩ１及びＭＦＩ２（ＭＦＩ：Multi Frame indication）はマルチフレーム表示であり、各ＯＰＵ２フレーム間の遅延時間差を計測し、遅延時間差を調整するために用いられる。ＳＱはシーケンス番号を示すバイトであり、８ｂｉｔで最大２５６までのバーチャルコンカチネーションにおけるシーケンス番号を示すことができる。また、Ｍｅｍｂｅｒ Ｓｔａｔｕｓはどのバーチャルコンカチネーショングループに属するのかを示すバイトである。従って、これらオーバヘッドを用いて、どのバーチャルコンカチネーショングループに属し、その中の何番目のシーケンスに属するフレームで、遅延量がどの程度かを知ることができるため、これらの情報を用いて、ＯＰＵ−４ｖの場合には、ＯＰＵ２を４つ用いて４０Ｇ信号を転送し、元の信号を復元することができる。
【００５９】
（４０ＧｂＥ信号とＧ．７０９標準で規定されるＯＰＵ２信号との速度精度の問題）
４０ＧｂＥ信号の信号速度の精度は、Ｇ．７０９標準で規定されているＯＰＵ２信号の信号速度の精度よりも悪く、±１００ｐｐｍの精度であり、ネットワーク側の速度精度を±２０ｐｐｍとした場合、非同期マッピング方式を用いた場合、相対精度±１２０ｐｐｍ相当の信号を収容する必要がある。そのため、Ｇ．７０９の標準の一部を拡張し、クロック精度品質の悪い信号に対応する。
【００６０】
図７及び図８に拡張したＯＰＵ２−４ｖへの４０ＧｂＥ信号の収容例を示す。図７ではＪＣバイトの部分を一部ＮＪＯに割り当て、またデータ領域の一部をＰＪＯに割り当てている。図８では固定スタック領域の一部をＮＪＯに割り当て、データ領域の一部をＰＪＯに割り当てている。ＯＰＵフレームの１バイト当たり６５ｐｐｍ相当の信号速度を吸収することができるため、ＮＪＯ、ＰＪＯをそれぞれ１バイトずつ増やすことにより±１３０ｐｐｍ精度の信号を吸収することができる。つまり、非同期マッピング時には１１．０９６Ｇｂ／ｓ±２０ｐｐｍのオーバクロックＯＴＵ２ｅフレームを用いて、図７や図８に示すＮＪＯ、ＰＰＪＯを拡張したフレームに収容し伝送し、伝送後、元の信号を復元できるようになる。
【００６１】
以上、本発明の第１の実施の形態について説明したが、第１の実施の形態の光伝送装置１００において、前述の送信系統部は送信系統部１０１が、受信系統部１０２は受信系統部１０２が、それぞれ相当する。また、前述のクライアント信号受信部は、クライアント信号送受信部１１１内の波長多重分離部１１２とＯ／Ｅ変換部１１３とが相当する。また、前述の並列信号スキュー調整部はＭＬＤスキュー調整部１２２が相当する。また、前述の第１のモニタ部は４０ＧｂＥ・ ＰＣＳ／ＭＡＣモニタ部１２３が、逆マルチプレクサ部は逆マルチプレクサ部（ＩｎｖｅｒｓｅＭＵＸ部）１２３が、それぞれ相当する。また、前述のネットワーク信号送信部は、ネットワーク信号送受信部１３１内のＥ／Ｏ変換部１３２と波長多重部１３３とが相当する。
【００６２】
また、前述のネットワーク信号受信部は、ネットワーク信号送受信部１３１内の波長多重分離部（ＷＤＭ−ＤＥＭＵＸ）１３４とＯ／Ｅ変換部１３５とが相当する。また、前述のフレーム終端部はＯＴＵ２ｅ終端部１２５が、信号連結部はバーチャルコンカチネーション部（ＶＣＡＴ・ＭＵＸ）１２６が、第２のモニタ部は４０ＧｂＥ・ ＰＣＳ／ＭＡＣモニタ部１２７が、信号分配部はＭＬＤ処理部１２８が、それぞれ相当する。また、前述のクライアント信号送信部は、クライアント信号送受信部１１１内のＥ／Ｏ変換部１１４と波長多重部（ＷＤＭ−ＭＵＸ）１１５とが相当する。
【００６３】
そして、第１の実施の形態の光伝送装置１００においては、送信系統部１０１の機能をのみを含む構成とすることができる。この場合は、光伝送装置１００は、並列形式のクライアント信号を受信するクライアント信号受信部（波長多重分離部１１２およびＯ／Ｅ変換部１１３）と、並列形式のクライアント信号の並列信号間の位相のずれを調整すると共に、該並列形式のクライアント信号をバルクのクライアント信号に復元する並列信号スキュー調整部（ＭＬＤスキュー調整部１２２）と、バルクのクライアント信号の品質をモニタする第１のモニタ部（４０ＧｂＥ・ ＰＣＳ／ＭＡＣモニタ部１２３）と、バルクのクライアント信号を並列形式のクライアント信号に分離すると共に、該分離された並列形式のクライアント信号のそれぞれを、ネットワーク伝送フレームへマッピングして並列形式のネットワーク伝送信号を生成する逆マルチプレクサ部（逆マルチプレクサ部（Ｉｎｖｅｒｓｅ・ＭＵＸ部）１２４）と、逆マルチプレクサ部により生成された並列形式のネットワーク伝送信号のそれぞれを、異なる波長の光信号に変換すると共に、前記異なる波長の光信号を波長多重して光伝送路へネットワーク信号として送出するネットワーク信号送信部（Ｅ／Ｏ変換部１３２および波長多重部１３３）と、を有して構成される。
【００６４】
また、光伝送装置１００内に送信系統部１０１と受信系統部１０２の両方の機能を含む構成とする場合は、前述した送信系統部１０１の構成に加えて、さらに、受信系統部１０２として、光伝送路から波長多重されたネットワーク信号を受信すると共に、該波長多重されたネットワーク信号を波長ごとに分離し、該波長ごとに分離された信号をそれぞれ光電気変換して並列形式のネットワーク信号を生成するネットワーク信号受信部（波長多重分離部１３４とＯ／Ｅ変換部１３５）と、並列形式のネットワーク信号のネットワーク伝送フレームにマッピングされたクライアント信号を抽出し、並列形式のクライアント信号を抽出するフレーム終端部（ＯＴＵ２ｅ終端部１２５）と、並列形式のクライアント信号からバルクのクライアント信号を復元する信号連結部（バーチャルコンカチネーション部１２６）と、バルクのクライアント信号の品質をモニタする第２のモニタ部（４０ＧｂＥ・ ＰＣＳ／ＭＡＣモニタ部１２７）と、第２のモニタ部により品質がモニタされたバルクのクライアント信号を並列形式のクライアント信号に変換する信号分配部（ＭＬＤ処理部１２８）と、信号分配部から出力される並列形式のクライアント信号をクライアント側に送信するクライアント信号送信部（Ｅ／Ｏ変換部１１４および波長多重部１１５）と、を有して構成される。
【００６５】
上記構成により、高速のシリアル信号に代えて、低速なパラレル信号にて、４０ＧｂＥ信号等の長距離転送が可能となる。このため、低速伝送用の部品が使用できることになり、経済性に優れた光伝送装置を提供できる。また、この光伝送装置を使用して、４０ＧｂＥ信号等の長距離転送を行う光伝送システムを経済的に構成できる。
【００６６】
［第２の実施の形態］
第１の実施の形態では、並列形式の４０ＧｂＥ信号について、並列信号間の位相ずれを吸収した後、４０ＧｂＥのＰＣＳレイヤのバルク信号について品質をモニタし、バルク信号を分割し、元の並列形式の信号に戻すために逆マルチプレクサとバーチャルコンカチネーションを用いていた。
【００６７】
これに対して、第２の実施の形態では、並列形式のクライアント信号をバルク信号に戻すことなく並列形式の信号のまま、６４Ｂ／６６Ｂ符号モニタによる簡易な品質モニタを行い、並列形式の信号のままＯＴＵ２ｅフレームにマッピングする例を示す。
【００６８】
図９は、本発明の第２の実施の形態に係る光伝送装置３００の構成を示すブロック図である。また、図１０は、図９に示す光伝送装置３００を２つ用い、光伝送装置３００Ａと、光伝送装置３００Ｂとで光伝送システム３を構成した例を示している。なお、光伝送装置３００Ａ，３００Ｂを総称する場合は、光伝送装置３００と呼ぶ。
【００６９】
図９に示す光伝送装置３００は、図１に示す光伝送装置１００と比較して、図１に示すフレーム収容・処理部１２１の構成が、図９に示すフレーム収容・処理部３０１の構成に変更された点が異なるものである。その他の構成部分（図９に示すクライアント信号送受信部１１１およびネットワーク信号送受信部１３１）は、図１と同じ構成である。そのため、同一の構成部分には同一の符号を付している。
【００７０】
図９に示す光伝送装置３００は、クライアント側からクライアント信号を受信し、このクライアント信号をネットワーク側の信号に変換して光伝送路１１に出力する送信系統部（図で上段側に示される破線で囲んだ回路系統の部分）３０２と、光伝送路１１からネットワーク側の信号を受信し、このネットワーク側の信号からクライアント信号を抽出してクライアント側に出力する受信系統部（図で下段側に示される破線で囲んだ回路系統の部分）３０３と、を有して構成される。
【００７１】
すなわち、送信系統部３０２は、クライアント信号送受信部１１１内の波長多重分離部１１２、Ｏ／Ｅ変換部１１３、フレーム収容・処理部３０１内の６４Ｂ／６６Ｂモニタ部３１１、ＯＴＵ２ｅ収容部３１２、ネットワーク信号送受信部１３１内のＥ／Ｏ変換部１３２、および波長多重部（ＷＤＭ−ＭＵＸ）１３３により構成されている。
【００７２】
また、受信系統部３０３は、クライアント信号送受信部１１１内の波長多重部（ＷＤＭ−ＭＵＸ）１１５、Ｏ／Ｅ変換部１１４、フレーム収容・処理部３０１内の６４Ｂ／６６Ｂモニタ部３１４、ＯＴＵ２ｅ終端部３１３、ネットワーク信号送受信部１３１内のＥ／Ｏ変換部１３５、および波長多重分離部（ＷＤＭ−ＤＥＭＵＸ）１３４により構成されている。
【００７３】
上記構成において、送信系統部３０２では、クライアント信号送受信部１１１により、クライアント側から送信された４つの波長で多重化された４０ＧｂＥ・ＬＡＮ信号（１０．３１２５Ｇｂ／ｓ×４の４並列信号）を受信する。この４０ＧｂＥ・ＬＡＮ信号は、波長多重分離部（ＷＤＭ−ＤＥＭＵＸ）１１２により、波長多重部分離が行われる。その後、Ｏ／Ｅ変換部１１３により光信号を電気信号に変換（Ｏ／Ｅ変換）し、１０．３１２５Ｇｂ／ｓ×４の４並列の電気信号として出力される。この１０．３１２５Ｇｂ／ｓ×４の４並列の電気信号はフレーム収容・処理部３０１に入力される。
【００７４】
フレーム収容・処理部３０１に入力された１０．３１２５Ｇｂ／ｓ×４の４並列の電気信号は、６４Ｂ／６６Ｂモニタ部３１１により、そのまま６４Ｂ／６６Ｂ符号による簡易な品質モニタが行われる。
【００７５】
１０．３１２５Ｇｂ／ｓ×４の４並列の電気信号は、６４Ｂ／６６Ｂモニタ部３１１により品質モニタが行われた後、ＯＴＵ２ｅ収容部３１２に入力される。このＯＴＵ２ｅ収容部３１２により、１０．３１２５Ｇｂ／ｓ×４の４並列の電気信号のそれぞれは、１１．０９６Ｇｂ／ｓのＯＴＵ２ｅフレームのペイロードへマッピングされ、ＯＴＵ２ｅフレームの４並列信号として出力される。このＯＴＵ２ｅフレームの４並列信号は、ネットワーク信号送受信部１３１に出力される。
【００７６】
ネットワーク信号送受信部１３１では、Ｅ／Ｏ変換部１３２により、１１．０９６Ｇｂ／ｓＯＴＵ２ｅフレームの４並列信号を、互いに波長の異なる光信号への変換し、波長多重部（ＷＤＭ−ＭＵＸ）部１３３により、波長レベルでの多重化処理を行う。波長多重された光信号は光伝送路１１を通してネットワーク側の光伝送路１１に出力される。例えば、図１０に示す光伝送システム３において、光伝送装置３００Ａから対向側の光伝送装置３００Ｂに向けて送信される。
【００７７】
光伝送装置３００においては、ネットワーク側から光信号の受信を、図９に示す受信系統部３０３（図９の下段側の回路系統の部分）により行う。この受信系統部３０３において、光伝送装置３００内のネットワーク信号送受信部１３１は、光伝送路１１から光信号を受信し、この光信号を、波長多重分離部（ＷＤＭ−ＤＥＭＵＸ）１３４により、波長多重信号を波長毎に分離する（この例では、４つの並列信号に分離する）。また、Ｏ／Ｅ変換部１３５により、波長毎の光信号をＯＴＵ２ｅフレームの電気信号に変換し、この電気信号に変換された４つの並列信号を、フレーム収容・処理部１２１に出力する。すなわち、受信系統部３０３では、ネットワーク信号送受信部１３１により、光信号からＯＴＵ２ｅ(１１．０９６Ｇｂ／ｓ×４)フレームの４並列の電気信号を抽出して、フレーム収容・処理部３０１に出力する。
【００７８】
フレーム収容・処理部３０１においては、４並列構成のＯＴＵ２ｅ終端部３１３により、４並列のＯＴＵ２ｅフレーム信号の終端処理を行い、ネットワーク側におけるエラーや障害の発生をモニタし、また、１０．３１２５Ｇｂ／ｓのペイロードからクライアント信号を抽出し、１０．３１２５Ｇｂ／ｓ×４の４並列のクライアント信号を抽出する。
【００７９】
ＯＴＵ２ｅ終端部３１３で抽出された１０．３１２５Ｇｂ／ｓ×４の４並列のクライアント信号は、６４Ｂ／６６Ｂモニタ部３１４により、６４Ｂ／６６Ｂのオーバヘッドをモニタすることにより、簡易な品質モニタが行われる。６４Ｂ／６６Ｂモニタ部３１４で品質がモニタされた１０．３１２５Ｇｂ／ｓ×４の４並列のクライアント信号は、クライアント信号送受信部１１１へ出力される。
【００８０】
クライアント信号送受信部１１１では、Ｅ／Ｏ変換部１１４により、１０．３１２５Ｇｂ／ｓ×４の４並列の電気信号のそれぞれを互いに波長の異なる光信号へ変換し、波長多重部（ＷＤＭ−ＭＵＸ）部１１５により、波長の異なる光信号について波長レベルでの多重化処理が行われ、クライアント側に、１０．３１２５Ｇｂ／ｓ×４の４並列の信号が出力される。
【００８１】
このように、第２の実施の形態の光伝送装置３００においては、クライアント側の信号をバルク信号に戻すことなく、並列形式の信号を並列のまま転送を行うことができるため、第１の実施の形態と比較して、さらに経済性が優れる。一方で、ネットワーク側フレームへの変換の際にバルク信号として扱えるように並列信号間の移送調整（スキュー調整）を実施していないため、並列信号間のスキューが累積する。このスキューは、クライアント同士間で調整されることになる。
【００８２】
なお、図９および図１０に示す第２の実施の形態では、クライアント信号を、１１．０９６Ｇｂ／ｓのＯＴＵ２ｅのネットワーク伝送フレームへマッピングする例を示したが、１１．０４９Ｇｂ／ｓのＯＴＵ１ｅのネットワーク伝送フレームを用いることも可能である。
【００８３】
また、図９に示す光伝送装置３００では、送信系統部３０２と受信系統部３０３とを１つのユニットに含めて構成する例を示しているが、送信系統部３０２と受信系統部３０３とをそれぞれ独立のユニットで構成することもできる。
【００８４】
以上、本発明の第２の実施の形態について説明したが、第２の実施の形態において、前述の送信系統部は送信系統部３０２が、受信系統部は受信系統部３０３が、それぞれ相当する。また、前述のクライアント信号受信部は、クライアント信号送受信部１１１内の波長多重分離部１１２とＯ／Ｅ変換部１１３とが相当する。また、前述の第１のモニタ部は６４Ｂ／６６Ｂモニタ部３１１が、フレーム収容部はＯＴＵ２ｅ収容部３１２が、それぞれ相当する。また、前述のネットワーク信号送信部はネットワーク信号送受信部１３１内のＥ／Ｏ変換部１３２と波長多重部１３３とが相当する。
【００８５】
また、前述のネットワーク信号受信部は、ネットワーク信号送受信部１３１内の波長多重分離部（ＷＤＭ−ＤＥＭＵＸ）１３４とＯ／Ｅ変換部１３５とが相当する。また、前述のフレーム終端部はＯＴＵ２ｅ終端部３１３が、第２のモニタ部は６４Ｂ／６６Ｂモニタ部３１４が、それぞれ相当する。また、前述のクライアント信号送信部は、クライアント信号送受信部１１１内のＥ／Ｏ変換部１１４および波長多重部（ＷＤＭ−ＭＵＸ）１１５が相当する。
【００８６】
そして、第２の実施の形態の光伝送装置３００においては、送信系統部３０２の機能をのみを含む構成とすることができる。この場合は、光伝送装置３００は、並列形式のクライアント信号を受信するクライアント信号受信部（波長多重分離部１１２とＯ／Ｅ変換部１１３）と、並列形式のクライアント信号をバルクのクライアント信号に戻すことなく、前記並列信号のクライアント信号のそれぞれの品質をモニタする第１のモニタ部（６４Ｂ／６６Ｂモニタ部３１１）と、並列信号のクライアント信号のそれぞれを、ネットワーク伝送フレームにマッピングして並列形式のネットワーク伝送信号を生成するフレーム収容部（ＯＴＵ２ｅ収容部３１２）と、フレーム収容部により生成された並列形式のネットワーク伝送信号のそれぞれを、異なる波長の光信号に変換すると共に、前記異なる波長の光信号を波長多重して光伝送路１１へネットワーク信号として送出するネットワーク信号送信部（Ｅ／Ｏ変換部１３２と波長多重部１３３）と、を有して構成される。
【００８７】
また、光伝送装置３００内に送信系統部３０２と受信系統部３０３の両方の機能を含む構成とする場合は、前述した送信系統部３０２の構成に加えて、さらに、受信系統部３０３として、波長多重されたネットワーク信号を受信すると共に、該波長多重されたネットワーク信号を波長ごとに分離し、該波長ごとに分離された信号をそれぞれ光電気変換して並列形式のネットワーク信号を生成するネットワーク信号受信部（波長多重分離部１３４とＯ／Ｅ変換部１３５）と、並列形式のネットワーク信号のネットワーク伝送フレームのペイロードにマッピングされたクライアント信号を、並列形式のクライアント信号として抽出するフレーム終端部（ＯＴＵ２ｅ終端部３１３）と、並列形式のそれぞれのクライアント信号の品質をモニタする第２のモニタ部（６４Ｂ／６６Ｂモニタ部３１４）と、並列形式のクライアント信号をそれぞれ異なる波長の光信号に変換すると共に、異なる波長の光信号を波長多重してクライアント側に送信するクライアント信号送信部（Ｅ／Ｏ変換部１１４と波長多重部１１５）と、を有して構成される。
【００８８】
このような構成により、クライアント側の信号をバルク信号に戻すことなく、並列形式信号を並列形式のまま転送を行うことができるため、第１の実施の形態に比較して、さらに経済性が優れる光伝送装置を実現することができる。
【００８９】
［第３の実施の形態］
第１の実施の形態では、並列形式の４０ＧｂＥ信号について、並列信号間の位相ずれを吸収した後、４０ＧｂＥのＰＣＳレイヤのバルク信号について品質をモニタし、バルク信号を分割し、元の並列形式の信号に戻すために逆マルチプレクサとバーチャルコンカチネーションを用いていた。
【００９０】
これに対して、第３の実施の形態では、並列信号間の位相ずれは吸収し、位相ずれのない状態に戻すが、４０ＧｂＥ信号の１０Ｇ×４のクライアント信号の並列状態は保持し、この並列形式のクライアント信号のそれぞれを、１０Ｇの単位でオーバクロックしたＯＴＵ２ｅフレームのペイロードにマッピングを行う例について説明する。
【００９１】
図１１は、本発明の第３の実施の形態に係る光伝送装置４００の構成を示すブロック図である。また、図１２は、図１１に示す光伝送装置４００を２つ用い、光伝送装置４００Ａと、光伝送装置４００Ｂとで光伝送システム４を構成した例を示している。なお、光伝送装置４００Ａ，４００Ｂを総称する場合は、光伝送装置４００と呼ぶ。
【００９２】
図１１に示す光伝送装置４００は、図１に示す光伝送装置１００と比較して、図１に示すフレーム収容・処理部１２１の構成が、図１１に示すフレーム収容・処理部４０１の構成に変更された点が異なるものである。その他の構成部分（図１１に示すクライアント信号送受信部１１１およびネットワーク信号送受信部１３１）は、図１と同じ構成である。のため、同一の構成部分には同一の符号を付している。
【００９３】
図１１に示す光伝送装置４００は、クライアント側からクライアント信号を受信し、このクライアント信号をネットワーク側の信号に変換して光伝送路１１に出力する送信系統部（図で上段側に示される破線で囲んだ回路系統の部分）４０２と、光伝送路１１からネットワーク側の信号を受信し、このネットワーク側の信号からクライアント信号を抽出してクライアント側に出力する受信系統部（図で下段側に示される破線で囲んだ回路系統の部分）４０３と、を有して構成される。
【００９４】
すなわち、送信系統部４０２は、クライアント信号送受信部１１１内の波長多重分離部１１２、Ｏ／Ｅ変換部１１３、フレーム収容・処理部４０１内のＭＬＤスキュー調整部（終端無）４１１、ＯＴＵ２ｅマッピング部４１２、４０ＧｂＥ・ ＰＣＳ／ＭＡＣモニタ部４１３．ネットワーク信号送受信部１３１内のＥ／Ｏ変換部１３２、および波長多重部（ＷＤＭ−ＭＵＸ）１３３により構成されている。
【００９５】
また、受信系統部４０３は、クライアント信号送受信部１１１内の波長多重部（ＷＤＭ−ＭＵＸ）１１５、Ｅ／Ｏ変換部１１４、フレーム収容・処理部４０１内のＭＬＤ処理部（終端無）４１５、ＯＴＵ２ｅ終端部４１４、４０ＧｂＥ・ ＰＣＳ／ＭＡＣモニタ部４１６、ネットワーク信号送受信部１３１内のＯ／Ｅ変換部１３５、および波長多重分離部（ＷＤＭ−ＤＥＭＵＸ）１３４により構成されている。
【００９６】
上記構成において、送信系統部４０２では、クライアント信号送受信部１１１により、クライアント側から送信された４つの波長で多重化された４０ＧｂＥ・ＬＡＮ信号（１０．３１２５Ｇｂ／ｓ×４の４並列の信号）を受信する。この４０ＧｂＥ・ＬＡＮ信号は、波長多重分離部（ＷＤＭ−ＤＥＭＵＸ）１１２により、波長多重部分離が行われる。その後、Ｏ／Ｅ変換部１１３により光信号が電気信号に変換（Ｏ／Ｅ変換）が行われ、１０．３１２５Ｇｂ／ｓ×４の４並列の電気信号として出力される。この１０．３１２５Ｇｂ／ｓ×４の４並列の電気信号はフレーム収容・処理部４０１に入力される。
【００９７】
フレーム収容・処理部４０１に入力された１０．３１２５Ｇｂ／ｓ×４の４並列の電気信号は、ＭＬＤスキュー調整部（ＭＬＤ終端無）４１１により、並列信号間の位相ずれが吸収され、位相ずれのない状態に戻される。なお、４０ＧｂＥのバルク信号の品質モニタについては，ＭＬＤスキュー調整部４１１により、１０．３１２５Ｇｂ／ｓ×４の４並列信号間の位相差を吸収した後に、４０ＧｂＥ・ ＰＣＳ／ＭＡＣモニタ部４１３によりフレーム伝送処理と並列に行う。
【００９８】
１０．３１２５Ｇｂ／ｓ×４の４並列の電気信号は、ＭＬＤスキュー調整部４１１により位相ずれのない状態に調整された後、ＯＴＵ２ｅマッピング部４１２により、１１．０９６Ｇｂ／ｓのＯＴＵ２ｅフレームのペイロードへマッピングされ、ＯＴＵ２ｅフレームの４並列信号として出力される。ＯＴＵ２ｅフレームの４並列信号は、ネットワーク信号送受信部１３１に出力される。
【００９９】
ネットワーク信号送受信部１３１では、Ｅ／Ｏ変換部１３２により、１１．０９６Ｇｂ／ｓのＯＴＵ２ｅフレームの４並列信号を、互いに波長の異なる光信号への変換し、波長多重部（ＷＤＭ−ＭＵＸ）部１３３により、波長レベルでの多重化処理を行う。波長多重された光信号は光伝送路１１を通してクライアント側に向けて出力される。例えば、図１２の光伝送システム４に示すように、光伝送装置４００Ａから対向側の光伝送装置４００Ｂに向けて送信される。
【０１００】
光伝送装置４００においては、ネットワーク側から光信号の受信を、図１１に示す受信系統部４０３（図の下側の破線で囲まれる回路系統の部分）により行う。
【０１０１】
この受信系統部４０３において、ネットワーク信号送受信部１３１は、光伝送路１１から光信号を受信し、この光信号を、波長多重分離部（ＷＤＭ−ＤＥＭＵＸ）１３４により、波長多重信号を波長毎に分離する（この例では、４つの並列信号に分離する）。また、Ｏ／Ｅ変換部１３５により、波長毎の光信号をＯＴＵ２ｅフレームの電気信号に変換し、この電気信号に変換された４つのＯＴＵ２ｅフレームの並列信号を、フレーム収容・処理部１２１に出力する。すなわち、受信系統部３０３では、ネットワーク信号送受信部１３１により、光信号から並列形式のＯＴＵ２ｅフレーム(１１．０９６Ｇｂ／ｓ×４)の電気信号を抽出して、フレーム収容・処理部３０１に出力する。
【０１０２】
フレーム収容・処理部４０１においては、並列構成のＯＴＵ２ｅ終端部４１４により、並列形式のＯＴＵ２ｅフレーム信号の終端処理を行い、この終端処理によりＯＴＵ２フレームのペイロードにマッピングされている１０．３１２５Ｇｂ／ｓ×４の４並列のクライアント信号を取り出す。さらに、ＭＬＤスキュー調整部４１５により、１０．３１２５Ｇｂ／ｓ×４の４並列信号について位相差を吸収する処理を行った後、１０．３１２５Ｇｂ／ｓ×４の４並列の信号は、クライアント信号送受信部１１１に出力される。なお、４０ＧｂＥのバルク信号の品質モニタについては、ＭＬＤスキュー調整部４１５により１０．３１２５Ｇｂ／ｓ×４の４並列信号の位相差を吸収した後に、４０ＧｂＥ・ ＰＣＳ／ＭＡＣモニタ部４１６によりフレーム伝送処理と並列に行う。
【０１０３】
ＭＬＤスキュー調整部４１５から出力される１０．３１２５Ｇｂ／ｓ×４の４並列信号は、クライアント信号送受信部１１１へ入力される。クライアント信号送受信部１１１では、Ｅ／Ｏ変換部１１４により、１０．３１２５Ｇｂ／ｓ×４の４並列の電気信号のそれぞれを互いに波長の異なる光信号へ変換し、波長多重部（ＷＤＭ−ＭＵＸ）部１１５により、波長の異なる光信号について波長レベルでの多重化処理を行い、クライアント側に、１０．３１２５Ｇｂ／ｓ×４の４並列の信号を出力する。
【０１０４】
なお、第３の実施の形態では、ＯＴＵ２ｅフレーム(１１．０９６Ｇｂ／ｓ)のペイロードに１０．３１２５Ｇｂ／ｓ信号をマッピングする例を示したが、ＯＴＵ１ｅ(１１．０４９Ｇｂ／ｓ)フレームのペイロードへマッピングすることも可能である。
【０１０５】
また、図１１に示す光伝送装置４００では、送信系統部４０２と受信系統部４０３とを１つのユニットに含めて構成する例を示しているが、送信系統部と受信系統部とをそれぞれ独立のユニットで構成することができる。
【０１０６】
以上説明したように、第３の実施の形態の光伝送装置４００では、クライアント側の信号をバルク信号に戻すことなく、パラレル信号をパラレルのまま転送を行うことができるため、第１の実施の形態に比較して、さらに経済性が優れる光伝送装置を実現することができる。
【０１０７】
以上、本発明の第３の実施の形態について説明したが、第３の実施の形態において、前述の送信系統部は送信系統部４０２が、受信系統部は受信系統部４０３が、それぞれ相当する。また、前述のクライアント信号受信部は、クライアント信号送受信部１１１内の波長多重分離部１１２とＯ／Ｅ変換部１１３とが相当する。また、前述の第１のスキュー調整部はＭＬＤスキュー調整部４１１が、マッピング部はＯＴＵ２ｅマッピング部４１２が、それぞれ相当する。また、前述のネットワーク信号送信部はネットワーク信号送受信部１３１内のＥ／Ｏ変換部１３２と波長多重部１３３とが相当する。
【０１０８】
また、前述のネットワーク信号受信部は、ネットワーク信号送受信部１３１内の波長多重分離部（ＷＤＭ−ＤＥＭＵＸ）１３４とＯ／Ｅ変換部１３５とが相当する。また、前述のフレーム終端部はＯＴＵ２ｅ終端部４１４が、第２のスキュー調整部はＭＬＤスキュー調整部４１５が、それぞれ相当する。また、前述のクライアント信号送信部は、クライアント信号送受信部１１１内のＥ／Ｏ変換部１１４および波長多重部（ＷＤＭ−ＭＵＸ）１１５が相当する。
【０１０９】
そして、第３の実施の形態の光伝送装置４００においては、送信系統部４０２の機能をのみを含む構成とすることができる。この場合は、光伝送装置４００は、並列形式のクライアント信号を受信するクライアント信号受信部（波長多重分離部１１２とＯ／Ｅ変換部１１３）と、並列形式のクライアント信号間の位相のずれの調整を行う第１のスキュー調整部（ＭＬＤスキュー調整部４１１）と、第１のスキュー調整部により位相ずれが調整された並列形式のクライアント信号のそれぞれをネットワーク伝送フレームへマッピングして並列形式のネットワーク伝送信号を生成するマッピング部（ＯＴＵ２ｅマッピング部４１２）と、マッピング部により生成された並列形式のネットワーク伝送信号のそれぞれを、異なる波長の光信号に変換すると共に、前記異なる波長の光信号を波長多重して光伝送路１１へネットワーク信号として送出するネットワーク信号送信部（Ｅ／Ｏ変換部１３２と波長多重部１３３）と、を有して構成される。
【０１１０】
また、光伝送装置４００内に送信系統部４０２と受信系統部４０３の両方の機能を含む構成とする場合は、前述した送信系統部４０２の構成に加えて、さらに、受信系統部４０３として、光伝送路から波長多重されたネットワーク信号を受信すると共に、該波長多重されたネットワーク信号を波長ごとに分離し、該波長ごとに分離された信号をそれぞれ光電気変換して並列形式のネットワーク信号を生成するネットワーク信号受信部（波長多重分離部１３４とＯ／Ｅ変換部１３５）と、並列形式のネットワーク信号のネットワーク伝送フレームにマッピングされたクライアント信号を、並列形式のクライアント信号として抽出するフレーム終端部（ＯＴＵ２ｅ終端部４１４）と、並列形式のクライアント信号間の位相ずれの調整を行う第２のスキュー調整部（ＭＬＤスキュー調整部４１５）と、第２のスキュー調整部により位相調整された並列形式のクライアント信号クライアント側に送信するクライアント信号送信部（Ｅ／Ｏ変換部１１４と波長多重部１１５）と、を有して構成される。
【０１１１】
上記構成により、クライアント側の信号をバルク信号に戻すことなく、パラレル信号をパラレルのまま転送を行うことができるため、第１の実施の形態に比較して、さらに経済性が優れる光伝送装置を実現することができる。
【０１１２】
以上、本発明の第１、第２、および第３の実施の形態において説明したように、本発明の光伝送装置においては、低速なパラレル信号にて４０ＧｂＥ信号の長距離転送が可能となる。これにより、低速用の部品が使用できるため経済性に優れる光伝送装置を実現することができると共に、光伝送システムを経済的に構成することができる。
【０１１３】
以上、本発明の実施の形態について説明したが、本発明の光伝送装置は、上述の図示例にのみ限定されるものではなく、本発明の要旨を逸脱しない範囲内において種々変更を加え得ることは勿論である。
【図面の簡単な説明】
【０１１４】
【図１】本発明の第１の実施の形態に係る光伝送装置の構成を示す図である。
【図２】図１に示す光伝送装置を用いた光伝送システムの構成例を示す図である。
【図３】４０ＧｂＥ_ＬＡＮシステムの構成例を示す図である。
【図４】ＭＬＤによるレーン間スキュー調整について説明するための図である。
【図５】４０Ｇ信号（ＳＴＭ−２５６）のＯＰＵ２−４ｖへのマッピング例を示す図である。
【図６】バーチャルコンカチネーションのオーバヘッド（ＯＨ）について説明するための図である。
【図７】４０ＧｂＥ信号のＯＰＵ２−４ｖへの収容例（その１）を示す図である。
【図８】４０ＧｂＥ信号のＯＰＵ２−４ｖへの収容例（その２）を示す図である。
【図９】本発明の第２の実施の形態に係る光伝送装置の構成を示す図である。
【図１０】図９に示す光伝送装置を用いた光伝送システムの構成例を示す図である。
【図１１】本発明の第３の実施の形態に係る光伝送装置の構成を示す図である。
【図１２】図１１に示す光伝送装置を用いた光伝送システムの構成例を示す図である。
【図１３】従来の４０Ｇｂ／ｓ光伝送システムの構成例を示す図である。
【符号の説明】
【０１１５】
１、３、４・・・光伝送システム、２・・・４０ＧｂＥ_ＬＡＮシステム、１１・・・光伝送路、１００，１００Ａ，１００Ｂ・・・光伝送装置、１１１・・・クライアント信号送受信部、１１１Ａ・・・クライアント信号送受信部、１１２，１３４・・・波長多重分離部（ＷＤＭ−ＤＥＭＵＸ）、１１３，１３５・・・Ｏ／Ｅ変換部、１１４，１３２・・・Ｅ／Ｏ変換部、１１５，１３３・・・波長多重部（ＷＤＭ−ＭＵＸ）、１２１，１２１Ａ・・・フレーム収容・処理部、１２２・・・ＭＬＤスキュー調整部（ＭＬＤ終端）、１２３，１２７・・・４０ＧｂＥ・ＰＣＳ／ＭＡＣモニタ部、１２４・・・逆マルチプレクサ部（Ｉｎｖｅｒｓｅ・ＭＵＸ）、１２５・・・ＯＴＵ２ｅ終端部、１２６・・・バーチャルコンカチネーション（ＶＣＡＴ・ＭＵＸ）部、１２８・・・ＭＬＤ処理部（ＶＬ挿入）、１３１，１３１Ａ・・・ネットワーク信号送受信部、２００Ａ，２００Ｂ・・・光伝送装置、２１１・・・ＭＡＣ処理部、２１２・・・ＰＣＳ処理部（ＴＸ）、２１３・・・ＭＬＤ処理部（ＴＸ）、２１４・・・ＭＬＤ処理部（ＲＸ）、２１５・・・ＰＣＳ処理部（ＲＸ）、２３１・・・４０ＧｂＥ用送受信部、２３２・・・Ｅ／Ｏ変換部、２３３・・・波長多重部、２３４・・・波長多重分離部、２３５・・・Ｏ／Ｅ変換部、３００，３００Ａ，３００Ｂ・・・光伝送装置、３０１・・・フレーム収容・処理部、３０２・・・送信系統部。３０３・・・受信系統部、３１１，３１４・・・６４Ｂ／６６Ｂモニタ部、３１２・・・ＯＴＵ２ｅ収容部、３１３・・・ＯＴＵ２ｅ終端部、４００Ａ，４００Ｂ・・・光伝送装置、４０１・・・フレーム収容・処理部、４０２・・・送信系統部、４０３・・・受信系統部、４１１，４１５・・・ＭＬＤスキュー調整部（ＭＬＤ終端無）、４１２・・・ＯＴＵ２ｅマッピング部、４１３，４１６・・・４０ＧｂＥ・ＰＣＳ／ＭＡＣモニタ部、４１４・・・ＯＴＵ２ｅ終端部
【図１】
2010114765.tif 000003
【図２】
2010114765.tif 000004
【図３】
2010114765.tif 000005
【図４】
2010114765.tif 000006
【図５】
2010114765.tif 000007
【図６】
2010114765.tif 000008
【図７】
2010114765.tif 000009
【図８】
2010114765.tif 000010
【図９】
2010114765.tif 000011
【図１０】
2010114765.tif 000012
【図１１】
2010114765.tif 000013
【図１２】
2010114765.tif 000014
【図１３】
2010114765.tif 000015